(57)【要約】      （修正有）【課題】地震などの被災者に仮住まいのハウスを早く提供できるように、底部にジャッキを設けてトレーラーで運びやすくしたハウスを提供する。【解決手段】外観形状が直方体のハウス部１の底部に、外観形状が直方体のハウス部設置台２を設ける。ハウス部設置台２の上面に、ハウス部１を設置するための、直方体状のハウス部設置部の窪みを１以上設ける。ハウス部設置台２の長手の側面に、ハウス部設置台２を貫通した内側が空洞の固定支柱４ａ〜４ｃを２以上設ける。固定支柱４ａ〜４ｃの内側両端に移動支柱５ａ１〜５ｃ１を設ける。該移動支柱の一端に、取り外しが自由なジャッキを設ける。【選択図】図１
0003146105.tif 000002
【実用新案登録請求の範囲】
【請求項１】
（イ）外観形状が直方体のハウス部１の底部に、外観形状が直方体のハウス部設置台２を設ける。
（ロ）ハウス部設置台２の上面に、ハウス部１を設置するための、直方体状のハウス部設置部３の窪みを１以上設ける。
（ハ）ハウス部設置台２の長手の側面に、ハウス部設置台２を貫通した内側が空洞の固定支柱４（ａ、ｂ、・・・）を２以上設ける。
（ニ）固定支柱４（ａ、ｂ、・・・）の内側両端に移動支柱５（ａ１、ａ２、ｂ１、ｂ２、・・・）を設ける。
（ホ）移動支柱５（ａ１、ａ２、ｂ１、ｂ２、・・・）の一端に、取り外しが自由なジャッキ６（ａ１、ａ２、ｂ１、ｂ２、・・・）を設ける。
以上のごとく構成された、トレーラーで運びやすくしたハウス。
【考案の詳細な説明】
【技術分野】
【０００１】  この考案は、地震などの被災者に仮住まいのハウスを早く提供できるように、底部にジャッキを設けてトレーラーで運びやすくしたハウスに関するものである。
【背景技術】
【０００２】  従来、地震などの被災者への仮住まいは、公共団体などが広い敷地に建築する仮設住宅が多かった。
【考案の開示】
【考案が解決しようとする課題】
【０００３】  これには、次のような欠点があった。
１：仮設住宅ができあがるまで長い時間を要していたため、被災者はその間、公民館や体育館などでの集団生活を強いられ、ストレスや疲労がたまりやすく、健康を損ねる場合が多かった。
２：仮設住宅に住むようになっても、自宅から遠く離れる場合が多く、被災者はその間、自宅の様子が心配になり、ストレスや疲労がたまりやすく、健康を損ねる場合が多かった。
本考案はこれらの欠点を解決するためになされたもので、次のような構成になっている。
【課題を解決するための手段】
【０００４】（イ）外観形状が直方体のハウス部１の底部に、外観形状が直方体のハウス部設置台２を設ける。
（ロ）ハウス部設置台２の上面に、ハウス部１を設置するための、直方体状のハウス部設置部３の窪みを１以上設ける。
（ハ）ハウス部設置台２の長手の側面に、ハウス部設置台２を貫通した内側が空洞の固定支柱４（ａ、ｂ、・・・）を２以上設ける。
（ニ）固定支柱４（ａ、ｂ、・・・）の内側両端に移動支柱５（ａ１、ａ２、ｂ１、ｂ２、・・・）を設ける。
（ホ）移動支柱５（ａ１、ａ２、ｂ１、ｂ２、・・・）の一端に、取り外しが自由なジャッキ６（ａ１、ａ２、ｂ１、ｂ２、・・・）を設ける。
以上のごとく構成された、トレーラーで運びやすくしたハウスである。
【考案の効果】
【０００５】  本考案は次のような効果がある。
１：ジャッキ６を使用してハウスをトレーラー１０に乗せ、被災地に運ぶので、被災者に仮住まいのハウスを早く提供できる。
２：ハウスを載せたトレーラー１０が駐車できるスペースがあれば、ジャッキ６を使用してハウスをトレーラー１０から降ろすので、広い敷地など必要がなく、被災地の地理的条件に対応しやすい。
３：被災者の自宅近くにハウスを設置できるので、自宅の様子がわかりやすくなり、被災者の自宅に対する心配が軽減される。
４：家族単位で住宅を提供できるので、被災者の集団生活によるストレスや疲労を軽減できる。
５：ハウスは、何度でも繰り返して使用できるので経済的に有利である。
６：ハウスをトレーラー１０に載せた後は、ジャッキ６を移動支柱５から外し、移動支柱５を固定支柱４に挿入するので、ハウスがトレーラー１０の横幅からはみ出ることがなく、一般道路を支障なく走れる。
【考案を実施するための最良の形態】
【０００６】以下、本考案の実施の形態を説明する。【０００７】  まず「（イ）外観形状が直方体のハウス部１の底部に、外観形状が直方体のハウス部設置台２を設ける。」と「（ロ）ハウス部設置台２の上面に、ハウス部１を設置するための、直方体状のハウス部設置部３の窪みを１以上設ける。」を図１と図２と図４に基づいて説明する。【０００８】  ハウス部１の底部にハウス部設置台２を設けるのは、ハウス部１をトレーラー１０に載せたり、トレーラー１０から降ろしたりするための作業が、安定してできるようにするためである。【０００９】  ハウス部１やハウス部設置台２は、ジャッキ６で押し上げたり、トレーラー１０で運んだりするので、堅牢な材質（金属類など）で造られることが望ましい。【００１０】  ハウス部１の外観形状は一般的に直方体であり、底部の形状は四角形である。トレーラー１０の荷台の形状も一般的に四角形であるから、ハウス部設置台２の形状も直方体である。【００１１】  ハウス部設置台２の上面に、ハウス部１を設置するための、直方体状のハウス部設置部３の窪みを１以上設けるのは、ハウス部１をトレーラー１０で運ぶ際に、振動などでずれないように、ハウス部設置台２に安定させるためである。【００１２】  次に、「（ハ）ハウス部設置台２の長手の側面に、ハウス部設置台２を貫通した内側が空洞の固定支柱４（ａ、ｂ、・・・）を２以上設ける。」を図１と図２と図４に基づいて説明する。【００１３】  ハウス部設置台２の長手の側面に、ハウス部設置台２を貫通した内側が空洞の固定支柱４（ａ、ｂ、・・・）を２以上設けるのは、ハウスをジャッキ６で押し上げるためのものである。【００１４】  固定支柱４（ａ、ｂ、・・・）の内側を空洞にするのは、固定支柱４（ａ、ｂ、・・・）の内側に取り付ける移動支柱５（ａ１、ａ２、ｂ１、ｂ２、・・・）が、固定支柱４（ａ、ｂ、・・・）の内側を移動できるようにするためである。【００１５】  次に、「（ニ）固定支柱４（ａ、ｂ、・・・）の内側両端に移動支柱５（ａ１、ａ２、ｂ１、ｂ２、・・・）を設ける。」を図３に基づいて説明する。【００１６】  固定支柱４（ａ、ｂ、・・・）の内側両端に移動支柱５（ａ１、ａ２、ｂ１、ｂ２、・・・）を設けるのは、移動支柱５（ａ１、ａ２、ｂ１、ｂ２、・・・）を固定支柱４（ａ、ｂ、・・・）の内側を移動させるためである。【００１７】  移動支柱５（ａ１、ａ２、ｂ１、ｂ２、・・・）が固定支柱４（ａ、ｂ、・・・）の内側に入り過ぎないように、図示しないが、移動支柱５（ａ１、ａ２、ｂ１、ｂ２、・・・）の外側にストッパーを設けるか、あるいは、固定支柱４（ａ、ｂ、・・・）の内側にストッパーを設ける。【００１８】  移動支柱５（ａ１、ａ２、ｂ１、ｂ２、・・・）が固定支柱４（ａ、ｂ、・・・）から外れないように、図示しないが、移動支柱５（ａ１、ａ２、ｂ１、ｂ２、・・・）の外側にストッパーを設けるか、あるいは、固定支柱４（ａ、ｂ、・・・）の内側にストッパーを設ける。【００１９】  次に、「（ホ）移動支柱５（ａ１、ａ２、ｂ１、ｂ２、・・・）の一端に、取り外しが自由なジャッキ６（ａ１、ａ２、ｂ１、ｂ２、・・・）を設ける。」を図５、図６に基づいて説明する。【００２０】  こ��は、移動支柱５（ａ１、ａ２、ｂ１、ｂ２、・・・）の一端にジャッキ６（ａ１、ａ２、ｂ１、ｂ２、・・・）を取り付けて、ハウスをジャッキ６で上下させるためである。
【使用例】
【００３０】  本考案をトレーラー１０に載せる場合は、次の手順で行う。図５、図６参照。
１：固定支柱４（ａ、ｂ、・・・）の内側に取り付けてある移動支柱５（ａ１、ａ２、ｂ１、ｂ２、・・・）を引き出す。
２：移動支柱５（ａ１、ａ２、ｂ１、ｂ２、・・・）の一端に、ジャッキ６（ａ１、ａ２、ｂ１、ｂ２、・・・）を取り付ける。
３：ジャッキ６（ａ１、ａ２、ｂ１、ｂ２、・・・）を操作して、ハウスの底部にトレーラー１０が入る高さまでハウスを上げる。
４：トレーラー１０をハウスの底部に入れる。
５：ジャッキ６（ａ１、ａ２、ｂ１、ｂ２、・・・）を操作して、ハウスをトレーラー１０の荷台に載せる。
６：ジャッキ６（ａ１、ａ２、ｂ１、ｂ２、・・・）を移動支柱５（ａ１、ａ２、ｂ１、ｂ２、・・・）から外す。
７：移動支柱５（ａ１、ａ２、ｂ１、ｂ２、・・・）を固定支柱４（ａ、ｂ、・・・）の内側に収納する。
【００３１】  本考案をトレーラー１０から降ろす場合は、次の手順で行う。図５、図６参照。
１：固定支柱４（ａ、ｂ、・・・）の内側に取り付けてある移動支柱５（ａ１、ａ２、ｂ１、ｂ２、・・・）を引き出す。
２：移動支柱５（ａ１、ａ２、ｂ１、ｂ２、・・・）の一端に、ジャッキ６（ａ１、ａ２、ｂ１、ｂ２、・・・）を取り付ける。
３：ジャッキ６（ａ１、ａ２、ｂ１、ｂ２、・・・）を操作して地面に設置する。
４：ジャッキ６（ａ１、ａ２、ｂ１、ｂ２、・・・）を操作して、ハウスの底部がトレーラー１０の荷台から離れる高さまでハウスを上げる。
５：トレーラー１０を移動させる。
【図面の簡単な説明】
【００３０】
【図１】は、本考案をトレーラー１０に載せた側面図である。
【図２】は、本考案のハウス部１底部の側面図である。
【図３】は、本考案のハウス部１底部の内部を表す正面図である。
【図４】は、本考案のハウス部１の底部の上面図である。
【図５】は、本考案のハウス部１をジャッキ６で押し上げたところを表す上面図である。
【図６】は、本考案のハウス部１をトレーラー１０に載せるところと本考案のハウス部１底部の内部を表す正面図である。
【符号の説明】
【００４０】１ハウス      ２ハウス設置台      ３ハウス部設置部
４（ａ、ｂ、・・・）固定支柱
５（ａ１、ａ２、ｂ１、ｂ２、・・・）移動支柱
６（ａ１、ａ２、ｂ１、ｂ２、・・・）ジャッキ
１０トレーラー      １１牽引車      １２タイヤ
【図１】
0003146105.tif 000003
【図２】
0003146105.tif 000004
【図３】
0003146105.tif 000005
【図４】
0003146105.tif 000006
【図５】
0003146105.tif 000007
【図６】
0003146105.tif 000008